(57)【要約】本発明は、水流エネルギーを変換する改良された海流タービンであって、海流タービンは、メインフレーム（０）と、反転機構（９）と、を備え、メインフレーム（０）は、水流（Ｆ）に浸されるように配置され、メインフレーム（０）は、水流（Ｆ）を向く船首部（ＰＢ）と、船首部（ＰＢ）に捕捉されるとともに水流（Ｆ）によって後方に駆動されるように配置されるプレート（１）を有する無端回転鎖（４）と、連続的に凸状であり、船首部（ＰＢ）から戻るように延在する、左舷側フレーム及び右舷側フレーム（ＰＢ、ＰＳ）と、左舷側フレームと右舷側フレームとの間の最大距離（ＰＳ、ＰＢ）よりも狭い横方向幅広船尾部（ＰＡ）と、を備え、回転鎖（４）は、発電機（Ｇ）を作動させる１つ以上の被駆動車輪（５）の周りに延び、被駆動車輪（５）と駆動係合し、回転鎖（４）は、プレート（１）を有する右舷無端回転鎖及び左舷無端回転鎖（４）を備え、反転機構（９）は、各プレートを回転させて船首部（ＰＢ）で水流を捕捉するように配置され、各プレート（１）は、右舷側フレーム及び左舷側フレーム（ＰＳ、ＰＰ）に沿ってそれぞれ後方に駆動され、幅広船尾部（ＰＡ）によって後端部に戻り、回転機構（８）は、右舷側フレーム及び左舷側フレーム（ＰＳ、ＰＰ）間の遮蔽空洞（ＰＨ）内で、プレート（１）が回転鎖（４）によって再び前方に導かれ船首部（ＰＢ）まで延在するときに、プレート（１）が水を実質的に捕捉しない受動状態へ各プレート（１）を回転させる。【選択図】図１
2021536545.tif 000002
【特許請求の範囲】
【請求項１】
水流のエネルギーを変換する海流タービンであって、
前記海流タービンは、メインフレーム（０）と、回転機構（９）と、を備え、
前記メインフレーム（０）は、海又は河川の水流（Ｆ）に沈むように配置され、
前記メインフレーム（０）は、
前記水流（Ｆ）に直接面するように配置される船首部（ＰＢ）と、
前記船首部（ＰＢ）に捕捉されるとともに前記水流（Ｆ）によって後方に駆動されるように配置されるプレート（１）を有する、１つ以上の右舷無端回転鎖及び左舷無端回転鎖（４）と、
連続的に凸状であり、船首部（ＰＢ）から後方に延在する、左舷側フレーム及び右舷側フレーム（ＰＢ，Ｐ，Ｓ）と、
左舷側フレームと右舷側フレームとの間の最大距離（ＰＳ，ＰＢ）よりも狭い横方向幅広船尾部（ＰＡ）と、
を備え、
前記回転鎖（４）は、発電機（Ｇ）を作動させる１つ以上の被駆動車輪（５）の周りに延び、前記被駆動車輪（５）と駆動係合し、
前記回転鎖（４）は、前記プレート（１）を有する右舷無端回転鎖及び左舷無端回転鎖（４）を備え、前記プレート（１）は、左舷側フレーム及び右舷側フレーム（ＰＢ、ＰＳ）に沿って延びるように配置され、
前記回転機構（９）は、各プレートを回転させて前記船首部（ＰＢ）で前記水流（Ｆ）を捕捉するように配置され、
各プレート（１）は、前記右舷側フレーム及び左舷側フレーム（ＰＳ、ＰＰ）に沿ってそれぞれ後方に駆動され、前記幅広船尾部（ＰＡ）によって後方に戻り、
前記回転機構（８）は、右舷側フレーム及び左舷側フレーム（ＰＳ、ＰＰ）間の遮蔽空洞（ＰＨ）内で、前記プレート（１）が前記回転鎖（４）によって再び前方に導かれ前記船首部（ＰＢ）まで延在するときに、前記プレート（１）が水を実質的に捕捉しない受動状態へ各プレート（１）を回転させる、海流タービン。
【請求項２】
前記船尾部（ＰＡ）の幅の半分を、前記メインフレーム（０）の長さ（Ｌ）で割ったものが、１５度の正接にほぼ等しい、請求項１に記載の海流タービン。
【請求項３】
前記船首部（ＰＢ）が、前記メインフレームの最大幅（ＰＰＢ）の長さ（Ｌ）の１／４から１／２に対応する幅を形成する幅広遮蔽部を形成し、
前記幅広遮蔽部は、フレーム側部（ＰＳ，ＰＰ）に沿った水流速度が流入水流（Ｆ）の初期速度よりも大きい点まで、前記フレーム側部を後方に追従する、請求項１又は２に記載の海流タービン。
【請求項４】
前記回転機構（９）がジュネーブ機構を備え、前記ジュネーブ機構は、プレート（１）が前輪及び後輪（５）を通過する間に、前記回転鎖（４）に対して前記プレート（１）を９０度回転させるように配置される、請求項１〜３のいずれか一項に記載の海流タービン。
【発明の詳細な説明】
【技術分野】
【０００１】
本発明は、海流タービンに関する。具体的には、本発明は、メインフレームが船首と連続凸状フレーム側部とトランサム船尾とを有するボート形状の海流タービンに適用される。メインフレームの形状は、側部が連続凸状でかつ中央部分の幅がトランサム船尾の幅よりも広い、ディンギ（ｄｉｎｇｈｙ）の喫水線にほぼ等しい。連続凸状フレームに沿って、側部は水流に捕捉される横方向プレートを有する右舷主鎖及び左舷主鎖それぞれを走行し、主鎖は、発電機に接続される車輪を駆動して運動量エネルギーを例えば電気エネルギーに変換するか、又は油圧エネルギーを発生させるポンプを駆動する。船尾から、プレートは横方向から長手方向に方向を変え、主鎖はフレーム側部間の遮蔽空間内に戻り、プレートは鎖に沿って整列している。
【背景技術】
【０００２】
特許文献１（出願日２０１６年６月１０日）に基づく特許文献２は、海洋発電プラントを開示している。海洋発電プラントは、メインフレームが鋭利なＶ字形状であり、流れに向かって先端部を有し、２つの直線フレーム側部の距離が先端部からの距離と共に直線的に増加し、幅広直線船尾を有する。メインフレームは添付の図５に見られるようにＶ字形状である。水流に捕捉される横方向プレートを持つ主鎖が右舷及び左舷それぞれに沿って走行し、主鎖は発電機に接続される車輪を駆動して、運動量エネルギーを例えば電気エネルギーに変換する。最大幅点の後端部から、プレートは横方向から長手方向に回転し、主鎖はフレーム側部間の遮蔽空間に戻り、プレートは鎖に沿って整列している。特許文献１の提出時には、正面図で均等に見える各プレートのＶ字幾何学的形状を見たとき、各プレートが発生する水流に均等に露出すると仮定したときに、はっきりとしたＶ字形状が、主鎖を駆動するプレートに水の最大の運動量エネルギーを伝達すると推測されていた。図６を参照されたい。
【先行技術文献】
【特許文献】
【０００３】
【特許文献１】ノルウェー特許出願公開第２０１６０９９１号明細書
【特許文献２】ノルウェー特許第３４１４１７号明細書
【発明の概要】
【課題を解決するための手段】
【０００４】
本発明は、水流エネルギーを変換する海流タービンであって、海流タービンは、メインフレーム（０）と、回転機構（９）と、を備え、メインフレーム（０）は、海又は河川の水流（Ｆ）に浸されるように配置され、メインフレーム（０）は、水流（Ｆ）に直接面するように配置される船首部（ＰＢ）と、船首部（ＰＢ）に捕捉されるとともに水流（Ｆ）によって後方に駆動されるように配置されるプレート（１）を有する、１つ以上の右舷無端回転鎖及び左舷無端回転鎖（４）と、連続的に凸状であり、船首部（ＰＢ）から戻るように延在する、左舷側フレーム及び右舷側フレーム（ＰＢ、ＰＳ）と、左舷側フレームと右舷側フレームとの間の最大距離（ＰＳ、ＰＢ）よりも狭い横方向幅広船尾部（ＰＡ）と、を備え、回転鎖（４）は、発電機（Ｇ）を作動させる１つ以上の被駆動車輪（５）の周りに延び、被駆動車輪（５）と駆動係合し、回転鎖（４）は、プレート（１）を有する右舷無端回転鎖及び左舷無端回転鎖（４）を備え、プレート（１）は、左舷側フレーム及び右舷側フレーム（ＰＢ、ＰＳ）に沿って延びるように配置され、回転機構（９）は、各プレートを回転させて船首部（ＰＢ）で水流を捕捉するように配置され、各プレート（１）は、右舷側フレーム及び左舷側フレーム（ＰＳ、ＰＰ）に沿ってそれぞれ後方に駆動され、幅広船尾部（ＰＡ）によって後端部に戻り、回転機構（８）は、右舷側フレーム及び左舷側フレーム（ＰＳ、ＰＰ）間の遮蔽空洞（ＰＨ）内で、プレート（１）が回転鎖（４）によって再び前方に導かれ船首部（ＰＢ）まで延在するときに、プレート（１）が水を実質的に捕捉しない受動状態へ各プレート（１）を回転させる。
【０００５】
本発明の実施形態のさらなる詳細は、独立請求項に記載されている。
【図面の簡単な説明】
【０００６】
【図１】改良された海流タービンの一実施形態の斜視図であり、流れに面するように配置される１つの船首部（ＰＢ）と、左舷側フレーム（ＰＰ）と、プレート（１）を有する部分隠蔽駆動鎖（４）と、を示し、このプレート（１）は、船首部から側フレームの大部分に沿って、側フレームが横方向幅広船尾部（ＰＡ）によって短く切断されるまで、流れと共に後方に露出する。側フレームは連続凸状であり、すなわち、側フレームの長さ全体にわたって外向きに湾曲している。
【図２ａ】本発明による海流タービンの一実施形態の平面断面図である。この平面断面図は、プレートを有する左舷及び右舷無端回転鎖（４）を示し、このプレートは、船首部（ＰＢ）で水流（Ｆ）に横方向に位置決めされて捕捉された後に整列し、プレートが右舷回転鎖及び左舷回転鎖（４）内をそれぞれ凸側フレーム（ＰＳ、ＰＰ）に沿って幅広船尾部（ＰＡ）の後方外端部へ走行するときに、水流の右舷側フレーム及び左舷側フレーム（ＰＳ、ＰＰ）に沿ってそれぞれ後方に駆動され、次いで、主に水を捕捉しない受動状態へ移行し、右舷側フレーム及び左舷側フレーム（ＰＳ、ＰＰ）間の遮蔽空洞（ＰＨ）内で、回転鎖（４）によって再び前方に移動し、船首部（ＰＢ）に向かって再び前方に延在する。このように、鎖（４）が閉じられる。
【図２ｂ】メインフレーム（０）の船尾からの斜視図であり、船尾部（ＰＡ）を示し、２つの車輪（５）の垂直軸（７）が船尾部の両側に配置されている。
【図２ｃ】メインフレーム（０）を右舷側から見た側面図である。
【図２ｄ】メインフレーム（０）の正面立面図であり、船首部（ＰＢ）がリーダに面している。
【図３】プレート（１）が船首部（０）から船尾部（ＰＡ）へ延びる場合の、天板（００）を有するメインフレーム（０）及びＵ字形状溝（８）の輪郭の上面図である。構造全体の長さは２０メートル〜２００メートル、好ましくは５０メートル〜１５０メートルのオーダーとすることができ、図７では船体長１００メートルの右舷フレーム側部（ＰＳ）の形状の一実施形態が示されている。
【図４】メインフレーム（０）の斜視図であり、前輪（５）と後輪（５）との間に駆動鎖（４）が延在し、右舷（上部）駆動鎖（４）における右舷プレートの一部の移動方向を示している。
【図５】先行技術、特に特許文献２におけるメインフレームの形状を示す。
【図６】先行技術、特に特許文献２におけるメインフレームの形状を示す。
【図７】船体長１００ｍの右舷フレーム側部（ＰＳ）の形状の一実施形態を示す。
【図８】図８Ａは、本発明のモデルに沿った、水平面で算出される水中の速度計算を示し、初期水流速度２．５ｍ／ｓ、Ｌ＝１００ｍである。図８Ｂは、図８Ａで算出された速度変動に関連して算出される、水中の動圧計算を示す。
【図９】駆動鎖（４）に対して、長手方向から横方向に、又は横方向から長手方向に、プレートを９０度回転するように適合される、前輪又は後輪（５）におけるプレート（１）の回転機構を示す。
【発明を実施するための形態】
【０００７】
本発明を添付の図で説明する。
【０００８】
図１は改良された海流タービンの一実施形態の斜視図であり、流れに面するように配置される船首部（ＰＢ）と、左舷側フレーム（ＰＰ）と、プレート（１）を有する部分隠蔽駆動鎖（４）と、を示し、このプレート（１）は、船首部から側フレームの大部分に沿って、側フレームが横方向幅広船尾部（ＰＡ）によって短く切断されるまで、流れと共に後方に露出する。側フレームは連続凸状であり、すなわち、側フレームの長さ全体にわたって外向きに曲がる。
【０００９】
図２ａは、本発明による海流タービンの一実施形態の平面断面図である。この平面断面図は、プレートを有する左舷無端回転鎖及び右舷無端回転鎖（４）を示し、このプレートは、船首部（ＰＢ）で水流（Ｆ）によって横方向に設定されて捕捉された後に適合され、プレートがそれぞれ右舷回転鎖及び左舷回転鎖（４）内をそれぞれ凸側フレーム（ＰＳ、ＰＰ）に沿って幅広船尾部（ＰＡ）の後端部に戻るように走行するときに、水流の右舷側フレーム及び左舷側フレーム（ＰＳ、ＰＰ）に沿ってそれぞれ後方に駆動され、次いで、主に水を捕捉しない受動状態へ移行させ、右舷側フレーム及び左舷側フレーム（ＰＳ、ＰＰ）間の遮蔽空洞（ＰＨ）内で回転鎖（４）によって再び前方に導かれ、船首部（ＰＢ）まで前方に延在する。これにより、鎖（４）は無端となる。
【００１０】
プレート（１）は鎖（４）内で回転するように配置されて、プレート（１）が後方に向かうときは鎖に対して横方向となり、前方に向かうときは回転して鎖に沿う。前輪（５）には鎖に対してプレートを長手方向から横方向に反転させる機構があり、船尾輪（５）には鎖（４）に対して車輪を横方向から長手方向に反転させる反対の機構がある。このような反転機構は、特許文献２に詳細に記載されている。プレート（１）は一実施形態では、折り畳まれて横方向プレートを形成する２つの半プレートであり、２つの半プレートは一緒に折り畳むことができ、２つの半プレートが鎖に対して平行に回転する。別の実施形態では、プレート（１）は、鎖に対して横方向位置から長手方向位置への間で回転し、再び戻る全体プレートであってもよい。
【００１１】
アーチ部（ＰＢ）は、一実施形態では、水流の主方向に面する湾曲した又は部分的に尖った前部を有するプレート構造又は中実構造であって、水流が１つの右舷水流と左舷水流とに分割され、右舷水流及び左舷水流は、頂部プレート及び底部プレート（ＰＢ）によって頂部及び底部で導かれる。
【００１２】
左舷側フレーム及び右舷側フレーム（ＰＳ、ＰＰ）は、連続的に凸状であり、船首部（ＰＢ）から横方向幅広船尾部（ＰＡ）に戻るように延在し、しかも横方向幅広船尾部（ＰＡ）は左舷側フレーム及び右舷側フレーム間の最大距離（ＰＳ、ＰＢ）よりも狭い。そして、左舷側フレーム及び右舷側フレーム（ＰＳ、ＰＰ）の最大幅点である「ビーム幅点」（ＰＰＢ）に対するこの先細り（ｔａｐｅｒ）により、主形状がＶ字形状の従来技術と比較して、鎖内で横方向に配置されるプレート（１）の水流速度及び水圧分布がより良好であることが分かった。これは驚くべき効果であった。
【００１３】
図２ｂは、メインフレーム（０）の船尾からの斜視図であり、船尾部（ＰＡ）を示し、２つの車輪（５）の垂直軸（７）が船尾部の両側に配置されている。この斜視図では、車輪（５）の軸（７）の軸線方向上方に円筒状収容部も見ることができ、円筒状収容部は、プレート（１）上の水流の作用により電流を発生させる発電機（Ｇ）と、発電機軸（７）上の車輪（５）を回転させる駆動鎖（４）と、を収容することができる。発電機は代替的に、水素を間接的に発生させ、圧縮することができる。図では、右舷フレーム側部及び左舷フレーム側部（ＰＳ、ＰＰ）に沿った外側のプレートが横方向であり水流を捕捉し、空洞（ＰＨ）の内側経路に沿ったプレート（１）が鎖（４）と長手方向に整列しており、その結果、水を捕捉しないことが示されている。またここでは、船首部（ＰＢ）近傍から船尾部（ＰＡ）の後輪（５）近傍まで戻るように延在する上部湾曲長手方向表面及び下部湾曲長手方向表面（８１）間のＵ字形状溝（８）内で、プレート（１）が水流に曝されることが示されている。この溝（８）は、上部船体プレート及び下部船体プレート（８２）間に配置することもでき、上部船体プレート及び下部船体プレート（８２）は、プレート（１）と共に溝（８）に向かってくる水流を捕捉し集めるのに寄与する。プレート（１）が長方形の場合、溝はＵ字形状ではなく長方形である。
【００１４】
図２ｂから、（上部及び下部の）駆動鎖（４）及び車輪（５）もまた、湾曲長手方向表面（８１）によって覆われていることが示されている。これにより、水流は集まってプレートに沿って流れ、駆動鎖（４）、特に車輪（５）と干渉しない。各フレーム（２）及び駆動鎖（４）上の中間リンクもまた、横方向キャリッジ（２３）を有する上向き突出ピン及び下向き突出ピン（２２）を有してもよく、上向き突出ピン及び下向き突出ピン（２２）は、駆動鎖の所望の経路に沿って配置されるそれぞれの上部レール及び下部レール（１０１）の周りを把持し、かつ上部レール及び下部のレール（１０１）に沿って走行する。これらのピン（２２）はまた、駆動輪（５）の垂直凹部に係合するように配置されて、駆動輪（５）を駆動する。
【００１５】
図２ｃは、メインフレーム（０）を右舷側から見た側面図である。ここでは右舷開口溝（８）が示されており、長手方向湾曲表面（８１）が、駆動鎖（４）と、車輪（５）と、ピン（２２）と、を隠しているが、長手方向湾曲表面（８１）は、駆動鎖に対してフレーム側部（ＰＳ、ＰＢ）に沿って横方向に整列するプレート（１）を露出させ、したがって水流が通過する。溝（８）は、再び船首部（ＰＢ）から船尾部（ＰＡ）に戻るまで延びるように、湾曲表面（８１）内に延びている。
【００１６】
図２ｄは、メインフレーム（０）を正面から見た図であり、船首部（ＰＢ）が読み手に面している。ここでも、水流（Ｆ）に捕捉される横方向プレート（１）の各船首の始端部が、上下の湾曲表面（８１）を有するＵ字形状溝（８）内に露出しているのが明瞭に示されている。なお、車輪（５）と前部走行プレート及び前向き走行プレート（１）を遮蔽する船首部（ＰＢ）が非常に広いことに留意されたい。そのため、船首部での長手方向の水流速度と水圧がここでは特に発達していないので、図８の速度曲線及び圧力曲線を参照する。船首部（ＰＢ）の幅は、左舷フレーム部位と右舷フレーム部位（ＰＰ、ＰＳ）との間の最大幅（ＰＰＢ）の１／４〜１／２であり得る。
【００１７】
図３は、天板（００）を有するメインフレーム（０）及びＵ字形状溝（８）の輪郭の平面図であり、プレート（１）が船首部（０）から船尾部（ＰＡ）に沿って走行している。構造全体の長さは２０〜２００メートル、好ましくは５０〜１５０メートルのオーダーとすることができ、図７では船体長１００メートルの右舷フレーム側部（ＰＳ）の形状の一実施形態が示されている。
【００１８】
図４は、メインフレーム（０）の斜視図であり、前輪（５）と後輪（５）との間に駆動鎖（４）が延在し、右舷（上）駆動鎖（４）における右舷プレートの一部の移動方向を示している。ここでは明確にするために、下部車輪及び上部駆動鎖のみが示されており、一実施形態では、上部駆動鎖及び下部駆動鎖（４）がある。
【００１９】
図５は、先行技術、特に特許文献２のメインフレームの形状を示す。右舷フレーム側部及び左舷フレーム側部は直線であり、船首から船尾にかけて中心線と３０度の角度をなしている。
【００２０】
図７は、船体長１００ｍの右舷フレーム側部（ＰＳ）の形状の実施形態を示しており、図８のモデリングで使用される。「円１」、「円２」等は、図８参照の溝に沿った速度のモデリングにおいて、右舷フレーム側部（ＰＳ）に沿ったＵ字形状溝（８）に沿ってプレート（１）を表す８つの円の位置を示している。
【００２１】
図８Ａは、本発明のモデルに沿った、水平面で算出される水中の速度計算を示し、初期水流速度２．５ｍ／ｓ、Ｌ＝１００ｍである。このモデルは、仮想プレート（１）が船首部（ＰＢ）の前部にも挿入されている点で、上記の図面と若干異なる。詳細な速度計算では、フレーム側部（ＰＰ）に沿った点（Ｎ）の手前では、速度が２．５ｍ／ｓの流入水流速度よりも低いことが示されている。そのため、プレート（１）を平均速度で走行させても水によって減速するので、プレート（１）の行程をこの手前の点から開始するのを可能にすることは意味がない。したがって、船首部（ＰＢ）は、船首部（ＰＢ）の全幅にわたって流入水流を遮蔽しているにもかかわらず、プレートに対する障害物を構成しない。この船首部（ＰＢ）の後ろに、プレート（１）を有する鎖（４）がその周りを回転する２つの比較的大きな車輪（５）を配置する。フレーム側部に沿った水流速度計算では、最大４ｍ／ｓ超に達し、フレーム側部（ＰＢ）上の最大幅点（ＰＰＢ）の船尾でも高速で、船尾（ＰＡ）の端部まで３．１２５超のままであり、平均速度は周囲の水流２．５ｍ／ｓより０．９５ｍ／ｓ高い３．４５ｍ／ｓである。（計算は１／８ｍ／ｓから４ｍ／ｓまでの３２段階で、等高線間隔０．１２５ｍ／ｓで行われた。）トランサム船尾（ＰＡ）の外端部の船尾にも高い水流速度の渦流が形成されるが、プレート（１）の外側と構造全体のある距離での水流速度は、本発明におけるエネルギー利用にとってはほとんど意味がない。プレート（１）の直ぐ周りの水流速度こそが重要な意味を持つ。こうして、ここでは、車輪（５）を介して水流速度と水力を回転エネルギーに変換し、発電機（８）を駆動するかなりの機会がある。横方向船尾（ＰＡ）の後ろでは、中心線の両側で非常に低い水流速度の渦を形成するが、その延伸は狭くて細長い。また、モデル計算では、水圧が点Ｎから後方に増加し、フレーム（ＰＰＢ）の最大幅の遠方まで耐えられることが示されている。これは、プレート（１）が高い定常水流速度で、より効率的に駆動されることに寄与する。高効率の理由の１つはこれであると推測することができるが、同時にトランサム船尾は、船尾鏡の幅が構造の長さに対応する従来技術よりもはるかに狭い。したがって従来技術では、形成されなければならない大きな渦の中で多くのエネルギーが失われる。
【００２２】
本発明の速度条件のモデリングでは、右舷フレーム側部及び左舷フレーム側部（ＰＳ、ＰＢ）の形状を連続凸状として、かつ、最大幅点のある特定の先細りの船尾とすることにより、初期水流速度よりも著しく高い速度が得られ、これがフレーム側部の露出部分全体に沿って生じ、また、これは図５に示す従来技術の三角形モデルよりも著しく効率的であるというやや驚くべきことを示している。
【００２３】
図８Ｂは、図８Ａで算出された速度変動に関連して算出される、水中の動圧計算を示す。図８Ｂでは、２列のプレート（１）を有する二重の実施形態について計算されていることに留意されたい。ここで圧力は、船首部（ＰＢ）で約３，０００パスカルまで蓄積されるが、モデルのフレーム側部（ＰＰ）に沿って速度が増加することにつれて、圧力は、長距離にわたって−３，０００パスカルに向かって減少し、フレーム側部（ＰＰ）の船尾端部に戻るまで、速度が著しく増加する同じ範囲に沿ってずっと続くことが分かる。本発明による流動モデルでは、流路（８、８１）に沿った突然の望ましくない圧力変動はない。
【００２４】
図９は、駆動鎖（４）に対して、長手方向から横方向に、又は横方向から長手方向に、プレートを９０度回転させるように配置される、前輪又は後輪（５）におけるプレート（１）の回転機構を示す。プレート（１）は、特許文献２に示されるように、巧妙に制御される機構によって回転させることができ、電磁石、アクチュエータ等を含むことができる。
【００２５】
しかし、本発明の一実施形態では、電子式の制御機構なしで回転機構を実現することができる。本発明の一実施形態では、反転機構は、いわゆるジュネーブ機構（９０）である。このようなジュネーブ機構は、より実質的な実施形態では、各プレート（１）又は各プレート（１）の垂直軸に結合される割り出し車輪（９１）を備える。割り出し車輪は、十字形状割り出しトラック（９４）を有し、十字形状割り出しトラック（９４）は、割り出しピンが計数車輪（９３）周りで３６０度回転する毎に、割り出しピン（９２）によって一度に９０度程度駆動される。計数車輪（９３）は、湾曲摩擦経路（９５）上を走行するように配置することができ、湾曲摩擦経路（９５）は、前輪及び後輪（５）によって配置され、計数車輪（９３）の全回転に対応する長さを有する。このようにして、プレート（１）は、前輪又は後輪（５）を通過するたびに４分の１回転する。プレートを回転させるこのようなジュネーブ機構は、電子制御装置を必要とせず、割り出しプレートを最初に９０度回転させた後にそれぞれ４方向に保持するバネ式停止機構を取り付けることができるので、プレート（１）が１回転ごとに制御不能に回転することはない。
【００２６】
本発明の一実施形態では、発電機（Ｇ）は、部分的に海を通って延在する電力網に接続することができ、所望の場所で受信機に電気エネルギーを供給する。本発明の代替実施形態では、発電機（Ｇ）は、電力網への接続が経済的に有益である場合を除いて、海水を水素及び酸素に変換し、船舶又はパイプラインに所望の圧力で圧縮水素又は液体水素（及び酸素を別々に）を供給する水素プラントを備えることができる。
【図１】
2021536545.tif 000003
【図２ａ】
2021536545.tif 000004
【図２ｂ】
2021536545.tif 000005
【図２ｃ】
2021536545.tif 000006
【図２ｄ】
2021536545.tif 000007
【図３】
2021536545.tif 000008
【図４】
2021536545.tif 000009
【図５】
2021536545.tif 000010
【図６】
2021536545.tif 000011
【図７】
2021536545.tif 000012
【図８】
2021536545.tif 000013
【図９】
2021536545.tif 000014
【国際調査報告】
2021536545.tif 000015
2021536545.tif 000016